(57)【要約】角氷を分配する部位で無騒音作動が可能であり、据え付け容易な軽量パッケージであることを特徴とする角氷製造機である。この角氷製造機は、蒸発器パッケージ（３０）と、別体の圧縮器パッケージ（５０）と、別体の復水器パッケージ（７０）とを含む。これらのパッケージの各々は、一般的に１人か２人の設置者で取り扱うことができる、据え付け容易な質量を有する。騒音のある圧縮器および復水器パッケージは、蒸発器パッケージから隔たって設置できる。蒸発器パッケージと復水器パッケージとの間の最大高さ距離は３パッケージ・システムによってかなり大きくなる。圧力調整器（１５７)が、収集サイクル中に作動して蒸発器を出る冷媒の流れを制限する。それによって、蒸発器の冷媒の圧力および温度を上昇させて除霜を助ける。
2005539190.tif 000002
【特許請求の範囲】
【請求項１】
第１の支持構造およびその上に配置した蒸発器を含む第１のパッケージ；
第２の支持構造およびその上に配置した圧縮器を含む第２のパッケージ；
第３の支持構造およびその上に配置した復水器を含む第３のパッケージ；および
冷媒を循環させる回路内で上記蒸発器、圧縮器および復水器を接続する相互接続構造
を含む製氷機。
【請求項２】
第３のパッケージが第１および第２のパッケージから隔たって位置している、請求項１の製氷機。
【請求項３】
第１、第２および第３のパッケージが互いに隔たって位置している、請求項１の製氷機。
【請求項４】
第２および第３のパッケージが第１のパッケージから隔たって位置している、請求項１の製氷機。
【請求項５】
さらに、第３のパッケージ内に配置した送風機と、第２のパッケージ内に配置したアキュムレータと、第１のパッケージ内に配置したレシーバとを含み、アキュムレータおよびレシーバが回路内で接続している、請求項１の製氷機。
【請求項６】
さらに、第３のパッケージ内に配置した送風機と、第２のパッケージ内に配置したアキュムレータと、レシーバとを含み、該アキュムレータおよび該レシーバが回路内で接続している、請求項１の製氷機。
【請求項７】
さらに、第１のパッケージ内に配置してあって蒸発器によって形成された角氷を受け取るホッパを含む、請求項６の製氷機。
【請求項８】
供給管路および戻り管路と回路内で接続した蒸発器、圧縮器および復水器であって、凍結サイクル中、冷媒が圧縮器および復水器を経て供給管路に沿って蒸発器に供給され、戻り管路を経て圧縮器に戻るようになっている蒸発器、圧縮器および復水器；および
上記戻り管路と回路内で接続した圧力調整器であって、圧力調整器が、収集サイクル中に戻り管路を通る冷媒の流れを制限するように作動可能であり、それによって、蒸発器内の冷媒の圧力および温度が上昇して蒸発器を除霜し、氷を収集するのを助ける圧力調整器を含む製氷機。
【請求項９】
さらに、圧縮器、復水器および蒸発器と回路内で接続したレシーバであって、凍結サイクル中に供給管路を経て蒸発器に冷媒流を送るように作動可能である、請求項８の製氷機。
【請求項１０】
レシーバが、収集サイクル中に蒸気管路を経て蒸発器に冷媒を送るように作動可能である、請求項９の製氷機。
【請求項１１】
復水器および圧縮器が蒸発器から隔たって位置する、請求項８の製氷機。
【請求項１２】
蒸発器が第１のパッケージ内にあり、圧縮器が第２のパッケージ内にあり、復水器が第３のパッケージ内にあり、第１のパッケージが第２および第３のパッケージから隔たって位置する、請求項８の製氷機。
【請求項１３】
さらに、収集サイクル中に蒸気相の冷媒を圧縮器から蒸発器に送るための蒸気管路およ
び弁体手段を含む、請求項８の製氷機。
【請求項１４】
弁体手段がバイパス弁とヘッド圧力弁とを含む、請求項１３の製氷機。
【請求項１５】
復水器、圧縮器、並びに該復水器および圧縮器から隔たって位置する蒸発器；
レシーバ；および
上記圧縮器、復水器、蒸発器およびレシーバと回路内で接続したヘッド圧力弁およびソレノイド弁であって、ヘッド圧力弁およびソレノイド弁のいずれかまたは両方が収集サイクル中に復水器を迂回して圧縮器からレシーバに蒸気相の冷媒を送るようになっている、ヘッド圧力弁およびソレノイド弁
を含む製氷機。
【請求項１６】
ソレノイド弁が、収集サイクル中に、圧力スイッチによって起動される、請求項１５の製氷機。
【請求項１７】
ソレノイド弁が、収集サイクル中に、コントローラによって起動される、請求項１５の製氷機。
【請求項１８】
さらに、収集サイクル中に蒸発器から圧縮器への冷媒の流れを制限するように該圧縮器および蒸発器と回路内で接続した圧力調整器を含む、請求項１５の製氷機。
【請求項１９】
さらに、蒸発器および圧縮器と回路内で接続したアキュムレータと、凍結サイクル中に該アキュムレータ内の液相の冷媒を最適化するように配置した熱交換器とを含む、請求項１５の製氷機。
【請求項２０】
熱交換器がアキュムレータの出力管路に対して熱的関係を有するように配置したチューブである、請求項１９の製氷機。
【請求項２１】
熱交換器が、アキュムレータ内部の冷媒と熱的関係を有するように配置したチューブである、請求項１９の製氷機。
【請求項２２】
蒸発器、圧縮器および復水器を含む製氷機を操作する方法であって、
（ａ）凍結サイクル中に上記製氷機の蒸発器にほぼ液相の冷媒を与える段階；
（ｂ）収集サイクル中に上記蒸発器にほぼ蒸気相の冷媒を与える段階；
（ｃ）上記収集サイクル中に上記製氷機の上記蒸発器から圧縮器への上記冷媒の流れを制限して、それによって、冷媒の圧力および温度が蒸発器内で上昇して蒸発器の除霜を助ける段階
からなる上記方法。
【請求項２３】
第１の支持構造および第２の支持構造上にそれぞれ配置した第１の圧縮器および第２の圧縮器と、第３の支持構造上に配置した第１の復水器、第２の復水器および送風機とを含み、第３の支持構造が第１の支持構造と第２の支持構造との間に配置してあり、作動時に、送風機が第１および第２の復水器を冷却するように空気を吸い込む製氷機。
【請求項２４】
さらに、第３の支持構造上に配置した第１および第２の孔を含み、第３の支持構造が第１の孔内に配置した送風機を有し、作動時、送風機が第１および第２の復水器を冷却するように第２の孔から空気を吸い込む、請求項２３の製氷機。
【請求項２５】
第３の支持構造が第１の支持構造と第２の支持構造との間に懸架状態で配置してあり、作動時、送風機が第１および第２の復水器を冷却するように空気を吸い込む、請求項２３
の製氷機。
【請求項２６】
さらに、第１の支持構造上に配置した第１のフランジと、第２の支持構造上に配置した第２のフランジとを含む、請求項２４の製氷機。
【請求項２７】
第３の支持構造が第１のフランジおよび第２のフランジのそれぞれの上に載っている、請求項２６の製氷機。
【請求項２８】
第３の支持構造が、この第３の支持構造の内部に配置した第１および第２の支持要素を含み、第１および第２の支持要素が第３の支持構造に関してＶ字形に配置してあり、第１の復水器が第１の支持要素上に配置してあり、第２の復水器が第２の支持要素上に配置してある、請求項２７の製氷機。
【請求項２９】
さらに、冷媒を循環させるように第１の圧縮器および第１の復水器に接続した少なくとも１つの蒸発器を有する第１の蒸発器支持構造と、冷媒を循環させるように第２の圧縮器および第２の復水器に接続した少なくとも１つの蒸発器を有する第２の蒸発器支持構造と、第１の蒸発器支持構造および第２の蒸発器支持構造によって形成された角氷を受け取る第１および第２のホッパとを含む、請求項２８の製氷機。
【請求項３０】
第１の支持構造内に配置した圧縮器と、第２の支持構造内に配置した水冷式復水器とを含む製氷機。
【請求項３１】
第１の支持構造がその上に配置した第１の挿入体を含み、第１の挿入体が壁を有し、第２の支持構造がその壁上に配置してあり、該壁が第１の支持構造に取り付けてある、請求項３０の製氷機。
【請求項３２】
第２の支持構造が水量調整弁を含み、該水量調整弁が給水源に接続するようになっている、請求項３１の製氷機。
【発明の詳細な説明】
【技術分野】
【０００１】
本発明は、氷を計量分配する部位が静かである角氷製造機に関する。
【背景技術】
【０００２】
角氷製造機は、一般的に、蒸発器と、給水源と、復水器および圧縮器を含む冷媒／暖気回路とを含む。蒸発器は、給水源並びに復水器および圧縮器を含む回路に接続している。弁および他の制御器は、凍結モードと収集モードにおいて蒸発器が周期的に作動するように制御する。凍結モード中、給水源は蒸発器に水を与え、回路は蒸発器に冷媒を供給して水を冷却し、角氷を形成する。収集モード中、回路は暖かい圧縮器放出ガスを蒸発器に回し、それによって、蒸発器を暖めて角氷を緩め、蒸発器から氷箱または氷ホッパ内へ落下させる。
【０００３】
設置面積が小さい場所、たとえば、レストランにすえ付けるときには、製氷機を２つの別々のパッケージまたは組立体に分離していた。パッケージの１つには、蒸発器および氷箱を収容し、このパッケージをレストラン内に設置する。他のパッケージは騒音が大きい圧縮器および復水器を収容する。このパッケージは、蒸発器から離れたところ、たとえば、レストラン外の屋上に設置する。復水器および圧縮器が遠くに設置してあるので、蒸発器パッケージは比較的静かである。
【０００４】
この２パッケージ式角氷製造機はいくつかの欠点を有する。冷媒回路経路設定上の制約のために、２つのパッケージ間の高さ距離は、最大約３５フィートに限られる。さらに、圧縮器/復水器パッケージの質量は約２５０ポンド以上であり、すえ付けにはクレーンを
必要とする。さらに、構成要素を開いて圧縮器/復水器パッケージを点検、修理するには
、普通それが建物の屋上に設置されているので、機械修理工に依頼しなければならない。大気に通気する必要があるのは復水器だけなので、悪天候の場合、屋内で圧縮器の作業を行うことができれば非常に望ましい。
【０００５】
収集モード中、冷媒を圧縮器から蒸発器まで蒸気相で供給するように復水器を迂回する。圧縮器が蒸発器から離れた距離のところに位置する場合、冷媒がこの距離を移動するにつれて部分的に液相に変わる傾向があり、これは蒸発器を暖める、すなわち、除霜する効率に悪影響を与える。この問題に対する従来技術の１つの解決策は、ヒータを使用して蒸気供給管路を暖めることである。他の従来技術による解決策は、蒸発器と同じパッケージにレシーバを設け、このレシーバの蒸気漏損量を利用して蒸発器に蒸気を供給することである。これらの解決策は、共に、パッケージのサイズを大きくし、それ故、商業施設における設置面積を大きくする。
【発明の開示】
【発明が解決しようとする課題】
【０００６】
したがって、蒸発器、復水器間の高さ距離が大きく、すえ付け質量が小さくてクレーンを必要としない音の静かな角氷製造機の要望がある。
また、収集モード中に蒸発器に蒸気を与える効率的な方法についての要望もある。
既知のすえ付け問題を解決する背の低い製氷装置についての要望も継続して存在する。
複数の復水器からなるコンパクトな構成を有し、すえ付け質量が小さい角氷製造機についての要望もある。
【課題を解決するための手段】
【０００７】
本発明の角氷製造機は、３パッケージ・システムで第１の要望を満たす。復水器、圧縮
器および蒸発器は、個別のパッケージ内に設置され、パッケージ当たりの質量を減らし、すえ付け時にクレーンを必要としない。圧縮器パッケージは、蒸発器パッケージから高さ３５フィートのところまでに設置できる。たとえば、蒸発器パッケージは、角氷を分配するレストランの室内に設置することができ、そして、圧縮器パッケージは、建物の別の階にある別の部屋、たとえばユーティリティ室に設置できる。これにより、従来の２パッケージ・システムでは点検修理を屋外で行う必要があったのに、それらを屋内で行うことができるようになる。復水器パッケージは、圧縮器パッケージから高さ３５フィートまでのところに設置できる。たとえば、復水器パッケージは、高層ビルの屋上に設置できる。
【０００８】
蒸発器パッケージは蒸発器を支持する支持構造を有する。圧縮器パッケージは圧縮器を支持する支持構造を有する。復水器パッケージは復水器を支持する支持構造を有する。
【０００９】
本発明は、蒸発器内の冷媒の圧力および温度を上昇させることによって収集モード中に蒸発器に蒸気を与えるという要望を満たす。これは、回路内の圧力調整器を蒸発器と圧縮器との間の戻り管路と接続することによって達成される。圧力調整器は流れを制限し、蒸発器内の冷媒の圧力および温度を上昇させる。蒸発器パッケージの設置面積を小さくするために、圧力調整器を圧縮器パッケージ内に設置してもよい。
【００１０】
本発明の他の、そして、さらに別の目的、利点および特徴は、同様の参照符号が同様の構成要素を示している添付図面と関連した以下の明細書を参照することで理解して貰えよう。
図１は、本発明による音の静かな角氷製造機の一部斜視図および一部ブロック図である。
図２は、本発明による音の静かな角氷製造機の別の実施態様の一部斜視図および一部ブロック図である。
図３は、図１の音の静かな角氷製造機について使用できる冷媒／暖気回路の回路図である。
図４は、図１の音の静かな角氷製造機について使用できる別の冷媒／暖気回路の回路図である。
図５は、図２の音の静かな角氷製造機について使用できる別の冷媒／暖気回路の回路図である。
図６は、図１の音の静かな角氷製造機について使用できるまた別の冷媒／暖気回路の回路図である。
図７は、本発明の二重ループ復水器を有する角氷製造機のまた別の実施態様の斜視図である。
図８は、図７の２-２線に沿った図である。
図９は、図７の角氷製造機の回路図である。
図１０は、本発明の二重ループ復水器を有する角氷製造機のまた別の実施態様の斜視図である。
【００１１】
〔好ましい実施態様の説明〕
図１を参照して、本発明の角氷製造機２０は、蒸発器パッケージ３０と、圧縮器パッケージ５０と、復水器パッケージ７０と、相互接続構造８０とを含む。蒸発器パッケージ３０は、上向きに延びる部材３４を有する支持構造３２を含む。蒸発器３６は、支持構造３２および上向きに延びる部材３４で支えられている。氷箱またはホッパ３８が収集モード時に角氷を受け取るために蒸発器３６の下に配置してある。
【００１２】
圧縮器パッケージ５０は、上に圧縮器５４、アキュムレータ５６およびレシーバ４０を配置した支持構造５２を含む。復水器パッケージ７０は、上に復水器７４および送風機７６を配置した支持構造７２を含む。当業者には明らかなように、支持構造３２、５２、７２は、互いに分離しており、特別な設計要件によって指示された場合には異なった形態、形状を採ることができる。さらに、当業者には明らかなように、蒸発器パッケージ３０、圧縮器パッケージ５０および復水器パッケージ７０は、角氷製造機の種々の弁および他の構成要素を適宜含む。
【００１３】
相互接続構造８０は、冷媒および暖気の循環を可能にすべく回路内の蒸発器３６、圧縮器５４および復水器７４を接続している。相互接続構造８０は、パイプまたはチューブと、適切な接続接合部を適宜含むことができる。
【００１４】
図２を参照して、製氷機２５はあらゆる点で製氷機２０と同一であるが、ただし、レシーバ４０が、圧縮器パッケージ５０ではなくて蒸発器パッケージ３０内の支持構造３２上に配置されている点で異なる。
【００１５】
図３を参照して、ここには、図１の角氷製造機と共に使用できる回路８２が示してある。回路８２は、圧縮器パッケージ５０内の構成要素を蒸発器パッケージ３０内の構成要素および復水器パッケージ７０内の構成要素に接続する相互接続構造８０を含む。蒸発器パッケージ３０において、蒸発器３６は、回路８２内で、除霜弁４２、膨張弁４４、液体管路ソレノイド弁４５、乾燥機４６および遮断弁４８と接続している。圧縮器パッケージ５０において、レシーバ４０、圧縮器５４およびアキュムレータ５６は、回路８２内で、フィルタ５１、バイパス弁５３、逆止め弁５５および出力圧調整器５７と接続している。復水器パッケージ７０において、復水器７４は、回路８２内で、ヘッド圧力制御弁５８に接続している。ヘッド圧力制御弁５８は、圧縮器パッケージ５０内に設置してもよい。当業者には明らかなように、蒸発器パッケージ３０、圧縮器パッケージ５０および復水器パッケージ７０は、角氷製造機２０の操作のための他の弁および制御器を含んでいてもよい。熱交換器ループ８７が、凍結サイクル中に最適に使用できるようにアキュムレータ内の液相冷媒と熱的関係を持って設けてある。
【００１６】
図４を参照して、ここには、図１の角氷製造機２０と共に使用できる回路１８２が示してある。回路１８２は、圧縮器パッケージ５０内の構成要素を蒸発器パッケージ３０内の構成要素および復水器パッケージ７０内の構成要素に接続する相互接続構造８０を含む。蒸発器パッケージ３０において、蒸発器３６は、回路１８２内で、除霜弁または冷蒸気弁１４２および膨張弁１４４に接続している。圧縮器パッケージ５０において、レシーバ４０、圧縮器５４およびアキュムレータ５６は、回路１８２内で、フィルタ１５１、バイパス弁１５３および出力圧調整器１５７に接続している。復水器パッケージ７０において、復水器７４は、回路１８２内で、ヘッド・マスターまたはヘッド圧力制御弁１５８に接続している。熱交換器ループ１８７が、凍結サイクル時にアキュムレータ内の液相冷媒を最適に使用できるようにアキュムレータ５６の出力チューブと熱的関係を持って設けてある。
【００１７】
当業者には明らかなように、蒸発器パッケージ３０、圧縮器パッケージ５０および復水器パッケージ７０は、角氷製造機２０の操作のための他の弁および制御器を含んでいてもよい。たとえば、製氷機２０は、収集サイクル時に、バイパスソレノイド弁１５３の起動を含めて製氷機の操作を制御するコントローラ１９３を含む。別法として、収集モード時に、圧力スイッチ１９２がソレノイド弁１５３を起動してもよい。
【００１８】
本発明の特徴によれば、出力圧力弁１５７が、氷収集時に作動して、蒸発器３６内の冷媒の圧力および温度を上昇させる。
【００１９】
凍結サイクル中、冷蒸気弁１４２およびバイパス弁１５３は閉じており、膨張弁１４４が開いている。冷媒は、圧縮器５４の出力部１８４から管路１８５、復水器７４、ヘッド
圧力制御弁１５８、管路１８６、レシーバ４０を経て流れる。流れは、熱交換器ループ１８７、供給管路１８８、フィルタ１５１、膨張弁１４４、蒸発器３６、戻り管路１８９、アキュムレータ５６、出力圧調整器１５７を経て圧縮器５４の入力部１９０に続く。出力圧調整器１５７は、凍結サイクル中に大きく開いて、冷媒が流れになんの影響も受けずに通過するようになっている。
【００２０】
収集サイクル中、冷蒸気弁１４２およびバイパス弁１５３が開き、膨張弁１４４が閉じる。蒸気相の冷媒は、圧縮器５４の出力部からバイパス弁１５３またはヘッド圧力弁１５８のいずれかまたは両方を経て管路１８６を通ってレシーバ４０に流れる。流れは、蒸気管路１９１、冷蒸気弁１４２、蒸発器３６、戻り管路１８９、アキュムレータ５６、出力圧調整器１５７を経て圧縮器５４の入力部１９０に続く。
【００２１】
出力圧調整器１５７は、収集時に作動して流れを減速させると共に圧縮器５４への入力部１９０のところの圧力を低下させる。その結果、蒸発器３６における圧力が高くなり、蒸発器３６内の蒸気温度が高くなる。蒸発器３６内の冷媒温度が高くなると、収集サイクルを向上させる。
【００２２】
出力圧調整器１５７は、製氷システムで必要とする圧力で作動できる任意適当な圧力調整器であってもよい。出力圧調整器は、たとえば、Ａｌｃｏから入手可能なモデル番号OPR10であってもよい。
【００２３】
図５を参照して、ここには、図２の角氷製造機２５と共に使用できる回路２８２が示してある。回路２８２は、圧縮器パッケージ５０内の構成要素を蒸発器パッケージ３０内の構成要素および復水器パッケージ７０内の構成要素に接続する相互接続構造８０を含む。蒸発器パッケージ３０において、蒸発器３６およびレシーバ４０は、回路２８２内で、除霜弁２４２、膨張弁２４４、乾燥機２４６および逆止め弁２４８に接続している。圧縮器パッケージ５０において、圧縮器５４およびアキュムレータ５６は、回路２８２内で、ヘッド圧力制御弁２５８に接続している。復水器パッケージ７０において、復水器７４は回路２８２に接続している。ヘッド圧力制御弁２５８が復水器パッケージ７０内に設置してあってもよい。当業者には明らかなように、蒸発器パッケージ３０、圧縮器パッケージ５０および復水器パッケージ７０は、角氷製造機２０の操作のための他の弁および制御器を含んでいてもよい。
【００２４】
本発明の角氷製造機２０および２５は、すえ付けを容易にする軽量パッケージという利点を備える。ほとんどの場合、クレーンを必要とすることがない。それに加えて、圧縮器および復水器が隔たって設置されるので、蒸発器パッケージは作動時に非常に静かである。最後に、蒸発器パッケージ３０と復水器パッケージ７０との間の距離は、従来技術の２パッケージ・システムの高さ３５フィートという制限から高さほぼ７０フィートまでかなり延びる。
【００２５】
図６を参照して、ここには、図１の角氷製造機２０と共に使用できる回路３８２が示してある。回路３８２は、圧縮器パッケージ５０内の構成要素を蒸発器パッケージ３０内の構成要素および復水器パッケージ７０内の構成要素に接続する相互接続構造８０を含む。蒸発器パッケージ３０において、蒸発器３６は、回路３８２内で、除霜弁または冷蒸気弁３４２および膨張弁３４４に接続している。圧縮器パッケージ５０において、レシーバ４０、圧縮器５４およびアキュムレータ５６は、回路３８２内で、フィルタ３５１、バイパス弁３５３、ヘッド・マスターまたはヘッド圧力制御弁３５８および出力圧調整器３５７に接続している。熱交換器ループ３８７が、アキュムレータ５６を通過しており、凍結サイクル時にアキュムレータ５６内の液相冷媒を最適に使用できるようにアキュムレータ５６の出力チューブと熱的関係にある。
【００２６】
当業者には明らかなように、蒸発器パッケージ３０、圧縮器パッケージ５０および復水器パッケージ７０は、角氷製造機２０の操作のための他の弁および制御器を含んでいてもよい。たとえば、製氷機２０は、収集サイクル中のバイパスソレノイド弁３５３の起動を含めた操作を制御するコントローラ３９３を含む。別法として、収集モード時に、圧力スイッチ３９２がソレノイド弁３５３を起動してもよい。
【００２７】
本発明の特徴によれば、氷収集時に、出力圧力弁３５７が作動して蒸発器３６内の冷媒の圧力および温度を上昇させる。
凍結サイクル中、冷蒸気弁３４２およびバイパス弁３５３が閉じ、膨張弁３４４が開く。冷媒は、圧縮器５４の出力部３８４から管路３８５、復水器７４、ヘッド圧力制御弁３５８および管路３８６を経てレシーバ４０に流れる。流れは、熱交換器ループ３８７、供給管路３８８、フィルタ３５１、膨張弁３４４、蒸発器３６、戻り管路３８９、アキュムレータ５６、出力部圧調整器３５７を経て圧縮器５４の入力部３９０に続く。出力圧調整器３５７は、凍結サイクル中に大きく開いて、冷媒が流れになんの影響も受けずに通過するようになっている。
【００２８】
収集サイクル中、冷蒸気弁３４２およびバイパス弁３５３が開き、膨張弁３４４が閉じている。蒸気相の冷媒は、圧縮器５４の出力部からバイパス弁３５３を含む第１経路またはヘッド圧力弁３５８、管路３８６およびレシーバ４０を含む第２経路のいずれかまたは両方を経て蒸気管路３９１に流れる。流れは、蒸気管路３９１、冷蒸気弁３４２、蒸発器３６、戻り管路３８９、アキュムレータ５６、出力圧調整器３５７を経て圧縮器５４の入力部３９０に続く。
【００２９】
出力圧調整器３５７は、収集時に作動して流れを減速させると共に圧縮器５４への入力部３９０のところの圧力を低下させる。その結果、蒸発器３６における圧力が高くなり、蒸発器３６内の蒸気温度が高くなる。蒸発器３６内の冷媒温度が高くなると、収集サイクルを向上させる。
【００３０】
次に図７、８を参照して、ここには、製氷機２０の別の実施態様が示してある。製氷機２０は、単一の送風機４１２と、第１の復水器４１４と、第２の復水器４３６と、第１の圧縮器４１６と、第２の圧縮器４１８とを含む。第１の復水器４１４および第１の圧縮器４１６は、互いに接続して蒸発器および他の代表的な冷媒成分を含む第１の冷媒回路を形成するようになっている。第２の復水器４３６および第２の圧縮器４１８も、蒸発器および他の代表的な冷媒成分を含む第２の冷媒回路において互いに接続するようになっている。氷箱またはホッパ（図示せず）は、これが収集モード中に角氷を受け取るように蒸発器（図示せず）間に配置してもよい。第１の復水器４１４および第２の復水器４３６は支持構造４２０上に載っている。支持構造４２０の典型的な態様としては、支持構造４２０は孔４２２を有するボックス状構造である。孔４２２は、送風機４１２が空気を循環させ、第１の復水器４１４および第２の復水器（図示せず）を冷却できるような適当なサイズである。当業者には明らかなように、送風機４１２は、第１の復水器４１６および第２の復水器４３６を冷却するように任意適当な方法で配置できる。
【００３１】
支持構造４２０は第１の支持要素４２４および第２の支持要素４３４も含む。第１の支持要素４２４および第２の支持要素４３４は互いに取り付けてある。第１の支持要素４２４および第２の支持要素４３４は、それらをＶ字形態で接続するための、この技術分野で公知の任意の方法によって取り付けられるように構成してある。第１の復水器４１４および第２の復水器４３６は、支持構造４２０内で第１の支持要素４２４および第２の支持要素４３４それぞれに載っている。
【００３２】
第１の支持要素４２４は、支持構造４２０の内部に取り付けてあり、第１の復水器４１４に対する適切な構造支持体となっている。第２の支持要素４３４もまた、支持構造４２０の内部に取り付けてあり、第２の復水器４３６に対する適切な構造支持体となっている。第１の支持要素４２４および第２の支持要素４３４の典型的な態様として、第１および第２の支持要素は、空気流が周囲から孔４２２を経て循環できるようにする寸法となっている。支持構造４２０は、その底部に設けた第２の孔４３８も有する。孔４３８は、支持構造４２０の幅にわたって延びており、支持構造４２０の内部を周囲に露出させ、第１の復水器４１４および第２の復水器４３４の冷却に貢献し、周囲に対して熱伝達を行うのに貢献する。
【００３３】
第１の圧縮器４１６は第１のフランジ４２６を含む。第２の圧縮器４１８も第２のフランジ４２７を有する。支持構造４２０は、第１の圧縮器４１６上に配置された第１のフランジ４２６および第２の圧縮器４１８上に配置された第２のフランジ４２７上に載るようになっている。好ましくは、第１のフランジ４２６および第２のフランジ４２７は、支持構造４２０内に配置された第１の復水器４１６および第２の復水器４３６の質量と共に支持構造４２０の質量を保持するのに適切である。第１の圧縮器４１６および第２の圧縮器４１８は、支持構造４２０が第１のフランジ４２６および第２のフランジ４２７上に載るように位置決めしてある。
【００３４】
支持構造４２０は、また、第１の側部４２８および第２の側部４２９を含む。第１の側部４２８および第２の側部４２９には、第１の復水器４１４および第２の復水器（図示せず）を第１の圧縮器４１６および第２の圧縮器４１８にそれぞれ接続するための複数の孔が設けてある。
【００３５】
当業者には明らかなように、第１の支持要素４２４および第２の支持要素４３４はＶ字形で支持構造４２０に連結してあるが、第１および第２の支持要素４２４、４３４は、複数の復水器からなるコンパクトな構成を創り出すように任意の構成で配置してよい。また、当業者には明らかなように、支持構造４２０は、第１のフランジ４２６および第２のフランジ４２７上に載っていて、地面に対して適当な高さに位置し、空気が、図８に示すように、孔４２２を経て支持構造４２０を通り、そして、第２の孔４３８を通って支持構造４２０の下方へ循環できるようにしている。
【００３６】
図７を参照して、第１の側部４２９は、第１の圧縮器４１６から第１の復水器４１４に冷媒を循環させて第１の冷媒回路を構成するように、対応する供給管路（図示せず）および戻り管路（図示せず）を有する。第２の側部４２８は、第２の圧縮器４１８から第２の復水器（図示せず）まで冷媒を循環させて第２の冷媒回路を構成するように対応する供給管路４３０および対応する戻り管路４３２を有する。第１および第２の冷媒回路は、この技術分野で知られているか、または、将来知られることになる任意適当な冷媒回路であってよい。
【００３７】
図９を参照して、ここには、図７の角氷製造機と共に使用できる回路４５０が示してある。回路４５０は、構成要素を接続して第１の製氷システム４５２を形成する相互接続構造を含む。回路４５０は、構成要素を接続して第２の製氷システム４５４を形成する相互接続構造も含む。第１の製氷システム４５２は第１の復水器４１６に接続している。第２の製氷システム４５４は第２の復水器４１８に接続している。第１の復水器４１６および第２の復水器４１８は、送風機４１２に隣接して支持構造４２０内に配置してある。第１の製氷システム４５２および第２の製氷システム４５４は、この技術分野で知られているか、または、将来知られることになる任意適当な製氷システムであってよい。
【００３８】
図１０を参照して、ここには、第１の圧縮器５０２および復水器５１０を含むパッケー
ジ５００の別の実施態様が示してある。図面から理解できるように、パッケージ５００は支持構造５０４を含む。支持構造５０４は、圧縮器パッケージ５０２の内部に配置してある。圧縮器パッケージ５０２の典型的な態様では、支持構造５０４は圧縮器（図示せず）を収容する。当業者には明らかなように、空冷式復水器は、スペース上の要件が厳しく、都市部では小さい設置場所に復水器を設置しなければならないので、経済的に適していない。たとえば、圧縮器パッケージ５０２が建物の下層階に設置してあり、屋上がその上方３５フィートよりも高いという都市部の設置場所では、空冷式復水器は、３５フィートの距離にわたって熱伝達を行わなければならないので有利な能力で機能することができないであろう。この制限的態様は、都市部でのすえ付けにおいては、高層ビルが存在するので不利になり得る。パッケージが互いに接近して設置してあって空冷式復水器を利用する場合には、角氷製造機の騒音が大きくなる結果となる。
【００３９】
しかしながら、一般的な高層ビルは、普通、大量の冷却水または冷却流体の供給源を有する。これらの冷却水または冷却流体システムは建物全体を循環している。このような場合、本実施態様は、大量の冷却水供給源を利用して圧縮器パッケージ５０２についてさらに大きなすえ付けの融通性を顧客に提供する。図１０を参照して、ここには、圧縮器パッケージ５０２が示してある。圧縮器パッケージ５０２は支持構造５０４を有する。好ましくは、圧縮器パッケージ５０２は、圧縮器パッケージ５０２の側部に設けた孔５０６を有する。孔５０６は支持構造５０４の側部となっている。孔５０６は、挿入パッケージ５１２と係合するに適した深さとなっている。挿入パッケージ５１２は、水冷式復水器５１０と水量調整弁５１４とを収容している。明らかなように、水量調整弁５１４は、建物の冷却水系を復水器５１０および付随する冷媒回路（図示せず）に接続するのに適した任意の装置であってよい。明らかなように、この技術分野で知られた任意適当な冷媒回路が本実施態様において使用できる。また、当業者には明らかなように、挿入パッケージ５１２は、現在この技術分野で知られているか、または、将来知られることになる任意適当な留め具によって圧縮器パッケージ５０２に取り付けることができる。こうして、圧縮器パッケージ５０２を、たとえば、蒸発器（図示せず）から適当に隔たった距離のところにすえ付けることができると共に、通常約３５フィートより長い距離にわたる熱伝達では失われる生産的に利用可能な冷却特性を無駄にすることがない。
【００４０】
本発明を特にその好ましい形態を参照しながら説明してきたが、特許請求の範囲に定義されているような本発明の趣旨および範囲から逸脱することなく種々の変更および修正をなし得ることは明らかであろう。
【図面の簡単な説明】
【００４１】
【図１】本発明による音の静かな角氷製造機の一部斜視図および一部ブロック図である。
【図２】本発明による音の静かな角氷製造機の別の実施態様の一部斜視図および一部ブロック図である。
【図３】図１の音の静かな角氷製造機について使用できる冷媒／暖気回路の回路図である。
【図４】図１の音の静かな角氷製造機について使用できる別の冷媒／暖気回路の回路図である。
【図５】図２の音の静かな角氷製造機について使用できる別の冷媒／暖気回路の回路図である。
【図６】図１の音の静かな角氷製造機について使用できるまた別の冷媒／暖気回路の回路図である。
【図７】本発明の二重ループ復水器を有する角氷製造機のまた別の実施態様の斜視図である。
【図８】図７の２-２線に沿った図である。
【図９】図７の角氷製造機の回路図である。
【図１０】本発明の二重ループ復水器を有する角氷製造機のまた別の実施態様の斜視図である。
【図１】
2005539190.tif 000003
【図２】
2005539190.tif 000004
【図３】
2005539190.tif 000005
【図４】
2005539190.tif 000006
【図５】
2005539190.tif 000007
【図６】
2005539190.tif 000008
【図７】
2005539190.tif 000009
【図８】
2005539190.tif 000010
【図９】
2005539190.tif 000011
【図１０】
2005539190.tif 000012
【手続補正書】
【提出日】平成15年10月17日(2003.10.17)
【手続補正１】
【補正対象書類名】特許請求の範囲
【補正対象項目名】全文
【補正方法】変更
【補正の内容】
【特許請求の範囲】
【請求項１】
蒸発器を含む蒸発器ユニット；
圧縮器およびレシーバを含む圧縮器ユニット；
復水器を含む復水器ユニット；および
冷媒を循環させる回路で上記蒸発器、圧縮器、復水器およびレシーバを接続する複数の導管
を含み、蒸発器ユニット、圧縮器ユニットおよび復水器ユニットが互いに隔たって位置する製氷機。
【請求項２】
圧縮器ユニットが、さらに、回路において接続したアキュムレータを含む、請求項１の製氷機。
【請求項３】
さらに、蒸発器によって形成された角氷を受け取るホッパを含む、請求項１の製氷機。
【請求項４】
さらに、回路内で蒸発器と圧縮器との間に配置した圧力調整器を含み、収集サイクル中に、圧力調整器が蒸発器を通る冷媒の流れを制限する、請求項１の製氷機。
【請求項５】
蒸発器およびレシーバを含む蒸発器ユニット；
圧縮器を含む圧縮器ユニット；
復水器を含む復水器ユニット；
上記蒸発器と流体連通している給水源；および
冷媒を循環させ、上記給水源から氷を形成する回路において、上記蒸発器、圧縮器、復水器およびレシーバを接続する複数の導管
を含み、蒸発器ユニット、圧縮器ユニットおよび復水器ユニットが互いに隔たって位置する製氷機。
【請求項６】
さらに、蒸発器ユニット内に配置した蒸気回路を含み、この蒸気回路が蒸気管路および除霜弁を含み、そして蒸気管路がレシーバを蒸発器に接続しており、収集サイクル中、蒸気回路が蒸気相の冷媒を蒸発器に送って氷を収集する、請求項５の製氷機。
【請求項７】
圧縮器ユニットが、さらに、回路において接続したアキュムレータを含む、請求項５の製氷機。
【請求項８】
さらに、蒸発器によって形成された氷を受け取るホッパを含む、請求項５の製氷機。
【請求項９】
蒸発器を含む蒸発器ユニット；
圧縮器を含む圧縮器ユニット；
復水器を含む復水器ユニット；
レシーバ；
上記蒸発器と流体連通している給水源；および
冷媒を循環させ、上記給水源から氷を形成する回路において蒸発器、圧縮器および復水器を接続する導管および弁体を有する相互接続構造
を含む製氷機であって、上記蒸発器ユニット、圧縮器ユニットおよび復水器ユニットが互いに隔たって位置しており、収集サイクル中に、上記相互接続構造によって、選択的に、冷媒は上記レシーバへ流れるか、または冷媒はレシーバを迂回する、上記製氷機。
【請求項１０】
圧縮器ユニットが、さらに、回路において接続したアキュムレータを含む、請求項９の製氷機。
【請求項１１】
さらに、蒸発器によって形成された氷を受け取るホッパを含む、請求項９の製氷機。
【請求項１２】
さらに、回路内で蒸発器と圧縮器との間に配置した圧力調整器を含み、収集サイクル中に、圧力調整器が蒸発器を通る冷媒の流れを制限する、請求項９の製氷機。
【請求項１３】
供給管路および戻り管路と回路内で接続した蒸発器、圧縮器および復水器であって、凍結サイクル中、冷媒が圧縮器および復水器を経て供給管路に沿って蒸発器に供給され、戻り管路を経て圧縮器に戻るようになっている、蒸発器、圧縮器および復水器；および
上記戻り管路と回路内で接続した圧力調整器であって、上記凍結サイクル中、圧力調整器が戻り管路を通る冷媒の流れを妨げず、収集サイクル中、圧力調整器が、凍結サイクル中の流量と比較して、戻り管路を通る冷媒の流量をその流れを止めることなく減らし、それによって、上記蒸発器内の冷媒の圧力および温度が上昇して蒸発器を除霜し、氷を収集するのを助ける圧力調整器
を含む製氷機。
【請求項１４】
供給管路および戻り管路と回路内で接続した蒸発器、圧縮器および復水器であって、凍結サイクル中、冷媒が圧縮器および復水器を経て供給管路に沿って蒸発器に供給され、戻り管路を経て圧縮器に戻るようになっている、蒸発器、圧縮器および復水器；
上記戻り管路と回路内で接続した圧力調整器であって、収集サイクル中、圧力調整器が、上記凍結サイクル中の流量と比較して、戻り管路を通る冷媒の流量をその流れを止めることなく減らし、それによって、上記蒸発器内の冷媒の圧力および温度が上昇して蒸発器を除霜し、氷を収集するのを助ける圧力調整器；および
上記圧縮器、復水器および蒸発器と回路内で接続したレシーバであって、レシーバが凍結サイクル中に作動可能であり、冷媒の流れを上記供給管路を経て蒸発器に送り、そして、レシーバが収集サイクル中に作動可能であって、冷媒を復水器を迂回する蒸気管路を経て蒸発器に送るか、または、上記収集サイクル中に作動不能であって、収集サイクル中に、冷媒をレシーバおよび復水器を迂回させて、圧縮器から蒸発器に流すレシーバ
を含む製氷機。
【請求項１５】
復水器および圧縮器が蒸発器から隔たって位置する、請求項１４の製氷機。
【請求項１６】
供給管路および戻り管路と回路内で接続した蒸発器、圧縮器および復水器であって、凍結サイクル中、冷媒が圧縮器および復水器を経て供給管路に沿って蒸発器に供給され、戻り管路を経て圧縮器に戻るようになっている蒸発器、圧縮器および復水器；
上記戻り管路と回路内で接続した圧力調整器であって、収集サイクル中、圧力調整器が戻り管路を通る冷媒の流れを制限し、それによって、上記蒸発器内の冷媒の圧力および温度が上昇して蒸発器を除霜し、氷を収集するのを助ける圧力調整器；および
蒸気管路、該蒸気管路に接続した第１の導管、該蒸気管路に接続した第２の導管、および弁体手段であって、冷媒が上記収集サイクル中に復水器を迂回することによって圧縮器から蒸発器に送られ、上記弁体手段が、第１の導管と流体連通しているバイパス弁と、第２の導管と流体連通しているヘッド圧力弁とを含み、第１および第２の導管が並列であり、冷媒が第１および第２の導管のいずれかまたは両方を経て上記圧縮器から蒸気管路に流れるようになっている、蒸気管路、第１の導管、第２の導管および弁体手段
を含む製氷機。
【請求項１７】
さらに、レシーバを含み、収集サイクル中、バイパス弁が、レシーバを迂回させることによって圧縮器から蒸発器へ冷媒を送るか、または、ヘッド圧力弁がレシーバを通して圧縮器から蒸発器へ冷媒を送る、請求項１６の製氷機。
【請求項１８】
収集サイクル中、圧力調整器が、凍結サイクル中の流量と比較して、戻り管路を通る冷媒の流量をその流れを止めることなく減らす、請求項１６の製氷機。
【請求項１９】
さらに、戻り管路と回路内で接続したアキュムレータを含む、請求項１６の製氷機。
【請求項２０】
蒸発器が復水器および圧縮器から隔たって位置している復水器、圧縮器および蒸発器；
レシーバ；および
上記圧縮器、復水器、蒸発器およびレシーバと回路内で接続したヘッド圧力弁およびバイパス弁であって、収集サイクル中、レシーバが作動可能であり、ヘッド圧力弁が冷媒に復水器を迂回させて蒸気相の冷媒を圧縮器からレシーバへ送るか、または、レシーバが作動不能であり、バイパス弁が冷媒に復水器およびレシーバを迂回させて冷媒を圧縮器から蒸発器へ送るようになっているヘッド圧力弁およびバイパス弁
を含む製氷機。
【請求項２１】
さらに、圧力スイッチを含み、バイパス弁が、収集サイクル中に、圧力スイッチによって起動されるソレノイド弁である、請求項２０の製氷機。
【請求項２２】
さらに、コントローラを含み、バイパス弁が、収集サイクル中に、コントローラによって起動されるソレノイド弁である、請求項２０の製氷機。
【請求項２３】
さらに、収集サイクル中に蒸発器から圧縮器への冷媒の流れを制限するように圧縮器および蒸発器と回路内で接続した圧力調整器を含む、請求項２０の製氷機。
【請求項２４】
さらに、蒸発器および圧縮器と回路内で接続したアキュムレータと、凍結サイクル中にアキュムレータ内の液相の冷媒を最適化するように配置した熱交換器とを含む、請求項２０の製氷機。
【請求項２５】
復水器が圧縮器から隔たって位置している、請求項２０の製氷機。
【請求項２６】
蒸発器、圧縮器および復水器を含む製氷機を操作する方法であって、
（ａ）凍結サイクル中に製氷機の蒸発器にほぼ液相の冷媒を与える段階；
（ｂ）収集サイクル中に蒸発器にほぼ蒸気相の冷媒を与える段階；および
（ｃ）上記収集サイクル中に、凍結サイクル中の流量と比較して、製氷機の蒸発器から圧縮器への冷媒の流量をその流れを止めることなく減らす段階
を含み、それによって、蒸発器内の冷媒の圧力および温度が上昇して蒸発器の除霜を助ける、上記方法。
【請求項２７】
収集サイクル中に冷媒の流量を減らす段階が、蒸発器および圧縮器と回路内で接続した圧力調整器を通して冷媒を送る段階を含む、請求項２６の方法。
【請求項２８】
さらに、凍結サイクル中に圧縮器、復水器および蒸発器と回路内で接続したレシーバを作動させて、供給管路を経てレシーバから蒸発器へ冷媒を与える段階、並びに、収集サイクル中にレシーバを作動させて復水器を迂回する蒸気管路を経てレシーバから蒸発器へ冷媒を与えるか、または、収集サイクル中にレシーバの作動を停止させて冷媒がレシーバおよび復水器を迂回するように圧縮器から蒸発器へ冷媒を与えるかのいずれかの段階を選択的に含む、請求項２７の方法。
【請求項２９】
収集サイクル中、バイパス弁により冷媒がレシーバを迂回して圧縮器から蒸発器へ向かうか、または、ヘッド圧力弁により冷媒がレシーバを通って圧縮器から蒸発器へ向かう、請求項２８の方法。
【請求項３０】
蒸発器が蒸発器ユニット内にあり、圧縮器が圧縮器ユニット内にあり、復水器が復水器ユニット内にあり、そして、蒸発器ユニット、圧縮器ユニットおよび復水器ユニットが互いに隔たって位置する、請求項２８の方法。
【請求項３１】
さらに、蒸発器および圧縮器と回路内で接続したアキュムレータに冷媒を与える段階を含む、請求項２８の方法。
【請求項３２】
第１の支持構造内に配置した第１の圧縮器；
第２の支持構造内に配置した第２の圧縮器；
第３の支持構造内に配置した第１の復水器、第２の復水器および送風機；  
冷媒を循環させるように第１の圧縮器および第１の復水器と流体連通している第１の蒸発器を有する第１の蒸発器支持構造；
冷媒を循環させるように第２の圧縮器および第２の復水器と流体連通している第２の蒸発器を有する第２の蒸発器支持構造；および
第１および第２の蒸発器により形成された角氷を受け取る第１および第２のホッパ
を含み、第３の支持構造が第１の支持構造と第２の支持構造との間に配置してあり、作動時、送風機が第１および第２の復水器を冷却するように空気を吸い込む、製氷機。
【請求項３３】
さらに、第３の支持構造内に配置した第１および第２の孔を含み、第３の支持構造が第１の孔内に配置した送風機を有し、作動時、送風機が第１および第２の復水器を冷却するように第２の孔から空気を吸い込む、請求項３２の製氷機。
【請求項３４】
第３の支持構造が第１および第２の支持構造間に懸架状態で配置してあり、作動時、送風機が第１および第２の復水器を冷却するように空気を吸い込む、請求項３２の製氷機。
【請求項３５】
さらに、第１の支持構造上に配置した第１のフランジと、第２の支持構造上に配置した第２のフランジとを含み、第３の支持構造が第１および第２のそれぞれのフランジ上に載
っている、請求項３３の製氷機。
【請求項３６】
第３の支持構造が、第３の支持構造の内部に配置した第１および第２の支持要素を含み、第１および第２の支持要素が第３の支持構造に関してＶ字形に配置してあり、第１の復水器が第１の支持要素上に配置してあり、第２の復水器が第２の支持要素上に配置してある、請求項３５の製氷機。
【請求項３７】
さらに、第３の支持構造内に配置した第１および第２の孔を含み、第１および第２の復水器が実質的に第１および第２の孔間に配置してあり、作動時、送風機が第１および第２の復水器を冷却するように第２の孔から空気を吸い込む、請求項３２の製氷機。
【請求項３８】
さらに、第３の支持構造上に配置した第１および第２の孔を含み、作動時、送風機が第１および第２の復水器を冷却する空気流路を第１および第２の孔間に創り出し、そして空気流路が実質的に第１および第２の復水器を横断している、請求項３２の製氷機。
【請求項３９】
第１および第２の復水器が第３の支持構造内にＶ字形に配置してある、請求項３２の製氷機。
【請求項４０】
第１の支持構造内に配置した圧縮器と、第２の支持構造内に配置した水冷式復水器とを含む製氷機。
【請求項４１】
第１の支持構造が第１の支持構造上に配置した第１の挿入体を含み、第１の挿入体が壁を有し、第２の支持構造がこの壁上に配置してあり、この壁が第１の支持構造に取り付けてある、請求項４０の製氷機。
【請求項４２】
第２の支持構造が水量調整弁を含み、水量調整弁が給水源に接続するようになっている、請求項４１の製氷機。
【手続補正書】
【提出日】平成16年5月7日(2004.5.7)
【手続補正１】
【補正対象書類名】特許請求の範囲
【補正対象項目名】全文
【補正方法】変更
【補正の内容】
【特許請求の範囲】
【請求項１】
蒸発器を含む蒸発器ユニット；
圧縮器およびレシーバを含む圧縮器ユニット；
復水器を含む復水器ユニット；および
冷媒を循環させる回路で上記蒸発器、圧縮器、復水器およびレシーバを接続する複数の導管
を含み、蒸発器ユニット、圧縮器ユニットおよび復水器ユニットが互いに隔たって位置する製氷機。
【請求項２】
圧縮器ユニットが、さらに、回路において接続したアキュムレータを含む、請求項１の製氷機。
【請求項３】
さらに、蒸発器によって形成された角氷を受け取るホッパを含む、請求項１の製氷機。
【請求項４】
さらに、回路内で蒸発器と圧縮器との間に配置した圧力調整器を含み、収集サイクル中に、圧力調整器が蒸発器を通る冷媒の流れを制限する、請求項１の製氷機。
【請求項５】
蒸発器およびレシーバを含む蒸発器ユニット；
圧縮器を含む圧縮器ユニット；
復水器を含む復水器ユニット；
上記蒸発器と流体連通している給水源；および
冷媒を循環させ、上記給水源から氷を形成する回路において、上記蒸発器、圧縮器、復水器およびレシーバを接続する複数の導管
を含み、蒸発器ユニット、圧縮器ユニットおよび復水器ユニットが互いに隔たって位置する製氷機。
【請求項６】
さらに、蒸発器ユニット内に配置した蒸気回路を含み、この蒸気回路が蒸気管路および除霜弁を含み、そして蒸気管路がレシーバを蒸発器に接続しており、収集サイクル中、蒸気回路が蒸気相の冷媒を蒸発器に送って氷を収集する、請求項５の製氷機。
【請求項７】
圧縮器ユニットが、さらに、回路において接続したアキュムレータを含む、請求項５の製氷機。
【請求項８】
さらに、蒸発器によって形成された氷を受け取るホッパを含む、請求項５の製氷機。
【請求項９】
蒸発器を含む蒸発器ユニット；
圧縮器を含む圧縮器ユニット；
復水器を含む復水器ユニット；
レシーバ；
上記蒸発器と流体連通している給水源；および
冷媒を循環させ、上記給水源から氷を形成する回路において蒸発器、圧縮器および復水器を接続する導管および弁体を有する相互接続構造
を含む製氷機であって、上記蒸発器ユニット、圧縮器ユニットおよび復水器ユニットが互いに隔たって位置しており、収集サイクル中に、上記相互接続構造によって、選択的に、冷媒は上記レシーバへ流れるか、または冷媒はレシーバを迂回する、上記製氷機。
【請求項１０】
圧縮器ユニットが、さらに、回路において接続したアキュムレータを含む、請求項９の製氷機。
【請求項１１】
さらに、蒸発器によって形成された氷を受け取るホッパを含む、請求項９の製氷機。
【請求項１２】
さらに、回路内で蒸発器と圧縮器との間に配置した圧力調整器を含み、収集サイクル中に、圧力調整器が蒸発器を通る冷媒の流れを制限する、請求項９の製氷機。
【請求項１３】
供給管路および戻り管路と回路内で接続した蒸発器、圧縮器および復水器であって、凍結サイクル中、冷媒が圧縮器および復水器を経て供給管路に沿って蒸発器に供給され、戻り管路を経て圧縮器に戻るようになっている、蒸発器、圧縮器および復水器；および
上記戻り管路と回路内で接続した圧力調整器であって、上記凍結サイクル中、圧力調整器が戻り管路を通る冷媒の流れを妨げず、収集サイクル中、圧力調整器が、凍結サイクル中の流量と比較して、戻り管路を通る冷媒の流量をその流れを止めることなく減らし、それによって、上記蒸発器内の冷媒の圧力および温度が上昇して蒸発器を除霜し、氷を収集するのを助ける圧力調整器
を含む製氷機。
【請求項１４】
供給管路および戻り管路と回路内で接続した蒸発器、圧縮器および復水器であって、凍結サイクル中、冷媒が圧縮器および復水器を経て供給管路に沿って蒸発器に供給され、戻り管路を経て圧縮器に戻るようになっている、蒸発器、圧縮器および復水器；
上記戻り管路と回路内で接続した圧力調整器であって、収集サイクル中、圧力調整器が、上記凍結サイクル中の流量と比較して、戻り管路を通る冷媒の流量をその流れを止めることなく減らし、それによって、上記蒸発器内の冷媒の圧力および温度が上昇して蒸発器を除霜し、氷を収集するのを助ける圧力調整器；および
上記圧縮器、復水器および蒸発器と回路内で接続したレシーバであって、レシーバが凍結サイクル中に作動可能であり、冷媒の流れを上記供給管路を経て蒸発器に送り、そして、レシーバが収集サイクル中に作動可能であって、冷媒を復水器を迂回する蒸気管路を経て蒸発器に送るか、または、上記収集サイクル中に作動不能であって、収集サイクル中に、冷媒をレシーバおよび復水器を迂回させて、圧縮器から蒸発器に流すレシーバ
を含む製氷機。
【請求項１５】
復水器および圧縮器が蒸発器から隔たって位置する、請求項１４の製氷機。
【請求項１６】
供給管路および戻り管路と回路内で接続した蒸発器、圧縮器および復水器であって、凍結サイクル中、冷媒が圧縮器および復水器を経て供給管路に沿って蒸発器に供給され、戻り管路を経て圧縮器に戻るようになっている蒸発器、圧縮器および復水器；
上記戻り管路と回路内で接続した圧力調整器であって、収集サイクル中、圧力調整器が戻り管路を通る冷媒の流れを制限し、それによって、上記蒸発器内の冷媒の圧力および温度が上昇して蒸発器を除霜し、氷を収集するのを助ける圧力調整器；および
蒸気管路、該蒸気管路に接続した第１の導管、該蒸気管路に接続した第２の導管、および弁体手段であって、冷媒が上記収集サイクル中に復水器を迂回することによって圧縮器から蒸発器に送られ、上記弁体手段が、第１の導管と流体連通しているバイパス弁と、第２の導管と流体連通しているヘッド圧力弁とを含み、第１および第２の導管が並列であり、冷媒が第１および第２の導管のいずれかまたは両方を経て上記圧縮器から蒸気管路に流れるようになっている、蒸気管路、第１の導管、第２の導管および弁体手段
を含む製氷機。
【請求項１７】
さらに、レシーバを含み、収集サイクル中、バイパス弁が、レシーバを迂回させることによって圧縮器から蒸発器へ冷媒を送るか、または、ヘッド圧力弁がレシーバを通して圧縮器から蒸発器へ冷媒を送る、請求項１６の製氷機。
【請求項１８】
収集サイクル中、圧力調整器が、凍結サイクル中の流量と比較して、戻り管路を通る冷媒の流量をその流れを止めることなく減らす、請求項１６の製氷機。
【請求項１９】
さらに、戻り管路と回路内で接続したアキュムレータを含む、請求項１６の製氷機。
【請求項２０】
蒸発器が復水器および圧縮器から隔たって位置している復水器、圧縮器および蒸発器；
レシーバ；および
上記圧縮器、復水器、蒸発器およびレシーバと回路内で接続したヘッド圧力弁およびバイパス弁であって、収集サイクル中、レシーバが作動可能であり、ヘッド圧力弁が冷媒に復水器を迂回させて蒸気相の冷媒を圧縮器からレシーバへ送るか、または、レシーバが作動不能であり、バイパス弁が冷媒に復水器およびレシーバを迂回させて冷媒を圧縮器から蒸発器へ送るようになっているヘッド圧力弁およびバイパス弁
を含む製氷機。
【請求項２１】
さらに、圧力スイッチを含み、バイパス弁が、収集サイクル中に、圧力スイッチによって起動されるソレノイド弁である、請求項２０の製氷機。
【請求項２２】
さらに、コントローラを含み、バイパス弁が、収集サイクル中に、コントローラによって起動されるソレノイド弁である、請求項２０の製氷機。
【請求項２３】
さらに、収集サイクル中に蒸発器から圧縮器への冷媒の流れを制限するように圧縮器および蒸発器と回路内で接続した圧力調整器を含む、請求項２０の製氷機。
【請求項２４】
さらに、蒸発器および圧縮器と回路内で接続したアキュムレータと、凍結サイクル中にアキュムレータ内の液相の冷媒を最適化するように配置した熱交換器とを含む、請求項２０の製氷機。
【請求項２５】
復水器が圧縮器から隔たって位置している、請求項２０の製氷機。
【請求項２６】
蒸発器、圧縮器および復水器を含む製氷機を操作する方法であって、
（ａ）凍結サイクル中に製氷機の蒸発器にほぼ液相の冷媒を与える段階；
（ｂ）収集サイクル中に蒸発器に水を供給して氷を形成する段階；
（ｃ）上記収集サイクル中に蒸発器にほぼ蒸気相の冷媒を与える段階；
（ｄ）上記収集サイクル中に上記凍結サイクル中の流量と比較して、製氷機の蒸発器から圧縮器への冷媒の流量をその流れを止めることなく減らし、それによって、蒸発器内の冷媒の圧力および温度が上昇して蒸発器の除霜を助ける段階；および
（ｅ）上記収集サイクル中に収集された氷を収集する段階
を含む上記方法。
【請求項２７】
収集サイクル中に冷媒の流量を減らす段階が、蒸発器および圧縮器と回路内で接続した圧力調整器を通して冷媒を送る段階を含む、請求項２６の方法。
【請求項２８】
さらに、凍結サイクル中に圧縮器、復水器および蒸発器と回路内で接続したレシーバを作動させて、供給管路を経てレシーバから蒸発器へ冷媒を与える段階、並びに、収集サイクル中にレシーバを作動させて復水器を迂回する蒸気管路を経てレシーバから蒸発器へ冷媒を与えるか、または、収集サイクル中にレシーバの作動を停止させて冷媒がレシーバおよび復水器を迂回するように圧縮器から蒸発器へ冷媒を与えるかのいずれかの段階を選択的に含む、請求項２７の方法。
【請求項２９】
収集サイクル中、バイパス弁により冷媒がレシーバを迂回して圧縮器から蒸発器へ向かうか、または、ヘッド圧力弁により冷媒がレシーバを通って圧縮器から蒸発器へ向かう、請求項２８の方法。
【請求項３０】
蒸発器が蒸発器ユニット内にあり、圧縮器が圧縮器ユニット内にあり、復水器が復水器ユニット内にあり、そして、蒸発器ユニット、圧縮器ユニットおよび復水器ユニットが互いに隔たって位置する、請求項２８の方法。
【請求項３１】
さらに、蒸発器および圧縮器と回路内で接続したアキュムレータに冷媒を与える段階を含む、請求項２８の方法。
【請求項３２】
第１の支持構造内に配置した第１の圧縮器；
第２の支持構造内に配置した第２の圧縮器；
第３の支持構造内に配置した第１の復水器、第２の復水器および送風機；  
冷媒を循環させるように第１の圧縮器および第１の復水器と流体連通している第１の蒸発器を有する第１の蒸発器支持構造；
冷媒を循環させるように第２の圧縮器および第２の復水器と流体連通している第２の蒸発器を有する第２の蒸発器支持構造；および
第１および第２の蒸発器により形成された角氷を受け取る第１および第２のホッパ
を含み、第３の支持構造が第１の支持構造と第２の支持構造との間に配置してあり、作動時、送風機が第１および第２の復水器を冷却するように空気を吸い込む、製氷機。
【請求項３３】
さらに、第３の支持構造内に配置した第１および第２の孔を含み、第３の支持構造が第１の孔内に配置した送風機を有し、作動時、送風機が第１および第２の復水器を冷却するように第２の孔から空気を吸い込む、請求項３２の製氷機。
【請求項３４】
第３の支持構造が第１および第２の支持構造間に懸架状態で配置してあり、作動時、送風機が第１および第２の復水器を冷却するように空気を吸い込む、請求項３２の製氷機。
【請求項３５】
さらに、第１の支持構造上に配置した第１のフランジと、第２の支持構造上に配置した第２のフランジとを含み、第３の支持構造が第１および第２のそれぞれのフランジ上に載っている、請求項３３の製氷機。
【請求項３６】
第３の支持構造が、第３の支持構造の内部に配置した第１および第２の支持要素を含み、第１および第２の支持要素が第３の支持構造に関してＶ字形に配置してあり、第１の復水器が第１の支持要素上に配置してあり、第２の復水器が第２の支持要素上に配置してある、請求項３５の製氷機。
【請求項３７】
さらに、第３の支持構造内に配置した第１および第２の孔を含み、第１および第２の復水器が実質的に第１および第２の孔間に配置してあり、作動時、送風機が第１および第２の復水器を冷却するように第２の孔から空気を吸い込む、請求項３２の製氷機。
【請求項３８】
さらに、第３の支持構造上に配置した第１および第２の孔を含み、作動時、送風機が第１および第２の復水器を冷却する空気流路を第１および第２の孔間に創り出し、そして空気流路が実質的に第１および第２の復水器を横断している、請求項３２の製氷機。
【請求項３９】
第１および第２の復水器が第３の支持構造内にＶ字形に配置してある、請求項３２の製氷機。
【請求項４０】
第１の支持構造内に配置した圧縮器；
第２の支持構造内に配置した水冷式復水器；および
第３の支持構造内に配置した蒸発器
を含む製氷機。
【請求項４１】
第１の支持構造が第１の支持構造上に配置した第１の挿入体を含み、第１の挿入体が壁を有し、第２の支持構造がこの壁上に配置してあり、この壁が第１の支持構造に取り付けてある、請求項４０の製氷機。
【請求項４２】
第２の支持構造が水量調整弁を含み、水量調整弁が給水源に接続するようになっている、請求項４１の製氷機。
【国際調査報告】
2005539190.tif 000013
2005539190.tif 000014
2005539190.tif 000015
2005539190.tif 000016